(57)【要約】      （修正有）【課題】水中生物に対する悪影響がなく、環境にやさしく、かつ取り扱いが容易で、製造コストの低い防汚水性塗料を提供する。【解決手段】ホタテガイ粉末と、培養によって得られた紅麹を、防汚機能を有する物質として含有する防汚塗料。【選択図】なし【特許請求の範囲】
【請求項１】
ホタテガイの貝殻を粉砕して得られたホタテガイ粉末と、紅麹を粉砕して得られた粉末と防汚作用を有する成分として含有することを特徴とする防汚水性塗料。
【請求項２】
前記ホタテガイ粉末と、紅麹粉末が、それぞれ加熱して粉砕した粉末であることを特徴とする請求項１に記載の防汚水性塗料。
【請求項３】
前記ホタテガイ粉末をさらに焼成することを特徴とする請求項１、もしくは請求項２に記載の防汚水性塗料。
【発明の詳細な説明】
【技術分野】
【０００１】  この発明は、防汚塗料に関し、特に船底、海中構造物、魚網などに塗布して貝や海草などの水中付着生物の付着を防止する防汚水性塗料に関する。
【背景技術】
【０００２】  船舶は、船底外板などの水面下に位置する部位は、海水に接触する時間が増加するにつれて貝類、藻、階層などが容易に付着する。このため走行抵抗が増大し、燃費の悪化を招く。係る現象を防ぐためには、防汚機能を具える塗料を船底などに塗布する。【０００３】  従来、防汚染塗料は、防汚機能を有するトリプチル錫、トリフェニル錫などの有機錫を含有していたが、但し、有機錫が海中に溶出すると、イボニシ貝をはじめとする貝類のインポセックス現象を招き、不妊化が発生する。また、有機スズはベリジャー幼生に有害であるため、有機錫を含有する防汚塗料は使用が世界的に規制された。【０００４】  そこで、防汚機能を有し、かつ有機巣部の代替となる物質を含む塗料の開発が行われた。特開平６−２９９０９６号公報には、マレイド系化合物を含有する船底塗料、水中構造物塗料などの防汚塗料組成物が開示される。【０００５】  特開平成６−２９９０９７号公報には、アセトアニライト系化合物を含有する防汚塗料組成物が開示される。【０００６】  特開平８−２５９８５７号公報には、ヘキサメチレンビスジオカルバミン酸と、Ｎ−置換ポリアミン化合物を組み合わせた水中用防汚剤が開示される。【０００７】  特開平成５−４９０３号公報には、環境に優しい防汚添加物として岩礁生物の脂溶性成分を用いる貝類足糸付着阻害剤及びその製造方法が開示される。【０００８】  特開平５−２７１０９号公報にはフラノテルパンなどを用いる貝類付着阻害剤が開示される。【０００９】  特開平５−２８６８２０号公報には、ヒバ油を用いた船底塗料など、天然物を用いた有害物付着防止剤が開示される。【００１０】  しかしながら、これら先行技術による防汚塗料などは、防汚効果が不十分であったり、添加物の製造コストが高価であったりして、なおも改善が望まれている。
【先行技術文献】
【特許文献】
【０００９】
【特許文献１】  特開平６−２９９０９６号公報
【特許文献２】  特開平成６−２９９０９７号公報
【特許文献３】  特開平８−２５９８５７号公報
【特許文献４】  特開平５−４９０３号公報
【特許文献５】  特開平５−２７１０９号公報
【特許文献６】  特開平５−２８６８２０号公報に
【発明の概要】
【発明が解決しようとする課題】
【００１０】  この発明は、貝、藻、海草などの水中生物の付着を防ぐ効果を具え、かつ水中生物に対する悪影響のない、環境にやさしい防汚水性塗料を提供することを課題とする。【００１１】  また、この発明は、取り扱いが容易で、かつ製造コストの低い防汚水性塗料を提供することを課題とする。
【課題を解決するための手段】
【００１２】  この発明は、船底、水中構造物、漁網などの水中生物の付着を防ぐ効果を有し、取扱が容易で、かつ環境にやさしいバイオクリーン塗料、即ち有機物質を用いた防汚水性塗料を提供することを課題とする。
【課題を解決するための手段】
【００１３】  そこで、本発明者は、従来の技術に見られる欠点に鑑み鋭意研究を重ねた結果、ホタテガイ粉末と、培養によって得られた紅麹を、防汚機能を有する物質として含有する防汚塗料によって課題を解決できる点に着眼し、係る知見に基づき本発明を完成させた。【００１４】  以下、この発明について詳述する。
請求項１に記載する防汚水性塗料は、ホタテガイの貝殻を粉砕して得られたホタテガイ粉末と、紅麹を粉砕して得られた粉末と防汚作用を有する成分として含有する。かかる成分の作用によって防汚作用を有し、かつ環境に対する悪影響の極めて希少な防汚水性塗料が得られる【００１５】  請求項２に記載する防汚水性塗料は、  請求項１におけるホタテガイ粉末と、紅麹粉末が、それぞれ加熱して粉砕した粉末である。【００１６】    請求項３に記載する防汚水性塗料は、  請求項１、もしくは請求項２に記載するホタ    テガイ粉末をさらに焼成する。
【発明を実施するための形態】
【００１７】  この発明は、水中生物に対する悪影響がなく、環境にやさしく、かつ取り扱いが容易で、製造コストの低い防汚水性塗料を提供することを目的する。即ち、紅麹とホタテガイの貝殻を主要な成分とする、いわゆるバイオクリーン塗料である。かかる防汚水性塗料の特徴について、具体的な実施例を挙げて以下に詳述する。
【実施例】
【００１８】  この発明による防汚水性塗料は、ホタテガイの貝殻を粉砕して得られた粉末と、紅麹とを加熱処理して防汚水性塗料の成分とする。【００１９】  紅麹は、紅麹菌を培養して得る。さらに加熱処理を行って酸素を不活性化した上で、乾燥粉砕して紅麹粉末を得る。また、ホタテガイは、乾燥させた貝殻を粉砕して得た粉末をさらに高温で焼成してホタテガイ粉末を得て、該紅麹粉末と、該ホタテガイ粉末とを防汚効果を有する塗料成分とする。【００２０】  前記防汚効果を有する塗料成分は、既存する防汚塗料に混和してもよく、もしくは亜酸化銅を含有する防汚塗料であれば、その製造過程において亜酸化銅の代替としてもよい。即ち、調合における任意の段階で該紅麹粉末と、該ホタテガイ粉末とを混合すればよく、例えばその他添加物、助剤を用いる場合と同様に混合させる。【００２１】  前記防汚効果を有する塗料成分を含有する防汚塗料は、陸上で被塗装物に塗布し、乾燥させて固化する。例えば、船舶の船底、船側板などの水面下に位置する部位、養殖用魚網、定置網用魚網、その他水中構造物、もしくは工場や発電所の給排水管などに塗布することによって水中生物の付着を防ぎ、好ましい防汚効果が得られる。塗布する厚みは塗幕寿命などを考慮して決めればよく、塗り重ねも任意である。【００２２】  紅麹は、モナリコンＫと、ｙ−アミノ絡酸とを主要な含有成分とし、血圧低下作用、コレステロール抑制作用を有することが知られている。高温焼成したホタテガイ粉末は酸化カルシウムを主な成分とし、優れた抗菌、消臭、防虫効果を具えることが知られている。【００２３】  発明者は、環境に優しい防汚水性塗料を開発すべく研究した過程において、該紅麹粉末と、該ホタテガイ粉末との相乗効果によって、優れた防汚作用が得られることを発見した。そこで、アクリルエマルジョン系塗料に該紅麹粉末と、該ホタテガイ粉末とを一定の比率で混合し、この発明による防汚水性塗料を調合した。さらにテストピースに塗布して海中に懸架して防汚効果を試験した。【００２４】  先ず、主剤となるアクリルエマルジョン系塗料に商品名「ＨＡＮＡＳ８７４」（株式会社ハナスエコロジー製造）を用い、主剤４００ｇに硬化剤３００ｇを混合して撹拌した。さらに、前記紅麹粉末を該主剤に対する５％、即ち２０ｇ混合し、さらに該ホタテガイ粉末を紅麹粉末と同量混合して拡販し、この発明による防汚塗料を調合した。【００２５】  次いで、繊維強化プラスチックによってなる直径３０ｃｍ、長さ４０ｃｍの角板を被塗布体とし、前記防汚塗料を表面に塗布し、乾燥させてテストピースＡを得た。【００２６】  次に、同様にして防汚塗料を調合し、同様の被塗布体に塗布してテストピースＢを得た。但し、ホタテガイ粉末と紅麹粉末は主剤に対して１０％とした。【００２７】  さらに、比較例として、ホタテガイ粉末と紅麹粉末とを混入することなく、主剤４００ｇに硬化剤３００ｇを混合して撹拌して防汚塗料を調合し、同様の被塗布体に塗布してテストピースＣを得た。【００２８】  得られたテストピースＡ、Ｂ、Ｃを貝や藻の付着しやすい６月から１０月の４ヶ月間海中に懸架して貝や藻の付着状況を観察した。その結果は表１に開示するとおりである。
【表１】
2014189792.tif 000002
【００２９】  比較試験の結果、テストピースＢに見られるように、ホタテガイ粉末と紅麹粉末は主剤に対して１０％とした防汚塗料は、貝類や藻の付着を阻害する好ましい効果を有することが判明した。その効果は、テストピースＡに見られるホタテガイ粉末と紅麹粉末を主剤に対して５％混合した防汚塗料に比して、さらに優れている。したがって、好ましくは、ホタテガイ粉末と紅麹粉末は主剤に対して少なくとも１０％以上混合する。【００３０】  以上のこの発明の好ましい実施の形態であって、この発明の範囲を限定するものではない。よって、当業者のなし得る訂正、変更などであって。この発明の精神においてなされ、この発明に対して均等の効果を有するものは、いずれもこの発明の特許請求の範囲に属するものとする。